【手続補正書】
【提出日】平成19年12月20日(2007.12.20)
【手続補正１】
【補正対象書類名】特許請求の範囲
【補正対象項目名】全文
【補正方法】変更
【補正の内容】
【特許請求の範囲】
【請求項１】
表示状態が変化可能な可変表示装置を有し、該可変表示装置の表示結果が予め定められた特定の表示態様になった場合に、遊技者にとって有利な状態に制御可能な遊技機であって、
前記遊技機の遊技状態を制御するとともに、前記可変表示装置を表示制御するための表示制御コマンドを送信する遊技制御手段と、
該遊技制御手段から送信された表示制御コマンドを受信して前記可変表示装置を可変開始させた後表示結果を導出表示する制御を行なう可変表示制御手段とを含み、
前記遊技制御手段は、
前記可変表示装置の表示結果が前記特定の表示態様となるか否かを決定する表示結果決定手段と、
前記可変表示装置における１回の可変表示に要する変動時間を短縮する時間短縮表示を行なうか否かを決定する短縮決定手段と、
前記可変表示装置における非時間短縮表示用の変動時間を含む第１の変動パターンを複数種類特定可能な情報が記憶された第１の変動パターン記憶手段と、
前記複数種類の第１の変動パターンのうちの少なくとも１種類に対応した時間短縮表示を行なうための、前記可変表示装置における時間短縮表示用の変動時間を含む第２の変動パターンを複数種類特定可能な情報が記憶された第２の変動パターン記憶手段と、
前記変動パターンを前記短縮決定手段の決定に応じて選択する手段であって、前記時間短縮表示を行なわない旨の決定がなされた場合に、前記第１の変動パターン記憶手段に記憶された第１の変動パターンのいずれかを前記可変表示制御手段へ送信する変動パターンコマンドのデータとして選択し、前記時間短縮表示を行なう旨の決定がなされた場合に、前記第２の変動パターン記憶手段に記憶された第２の変動パターンのいずれかを前記可変表示制御手段へ送信する変動パターンコマンドのデータとして選択する変動パターン選択手段とを含み、
前記変動パターン選択手段により選択される前記第１の変動パターンに対応する変動パターンコマンドと前記第２の変動パターンに対応する変動パターンコマンドとは、前記時間短縮表示が行なわれる場合の変動パターンであるか否かを示すデータが異なる一方、前記変動パターンの表示制御内容を示すデータが同じであり、
前記遊技制御手段は、
前記表示制御コマンドとして、前記変動パターン選択手段により選択された変動パターンを示す変動パターンコマンドと、前記表示結果決定手段の決定結果を特定するための表示結果コマンドとを前記可変表示装置を可変開始させるときに前記可変表示制御手段に送信するとともに、
前記変動パターンコマンドにより前記可変表示制御手段に通知した変動時間が経過したときに、前記可変表示装置の表示結果を導出表示する確定時期であることを示す確定時期コマンドを、前記変動パターンコマンドとは別に前記可変表示制御手段に送信し、
前記可変表示制御手段は、
受信した前記変動パターンコマンドにより示された変動パターンに応じて、前記可変表示装置の表示制御を行ない、
前記確定時期コマンドを受信したときに、前記表示結果コマンドに基づいた表示結果を前記可変表示装置に表示させることを特徴とする、遊技機。
【手続補正２】
【補正対象書類名】明細書
【補正対象項目名】０００７
【補正方法】変更
【補正の内容】
【０００７】
本発明は、かかる実情に鑑み考え出されたものであり、その目的は、可変開始時期に可変表示パターン（変動パターン）を特定可能な情報および表示結果を特定可能な情報を指令情報（コマンド）として出力する制御を行なう場合において、時間短縮表示のための制御を行なう場合に、実際に時間短縮表示が行なわれることを確実に担保することが可能な遊技機を提供することである。
【手続補正３】
【補正対象書類名】明細書
【補正対象項目名】０００８
【補正方法】変更
【補正の内容】
【０００８】
請求項１に記載の本発明は、表示状態が変化可能な可変表示装置を有し、該可変表示装置の表示結果が予め定められた特定の表示態様になった場合に、遊技者にとって有利な状態に制御可能な遊技機であって、
前記遊技機の遊技状態を制御するとともに、前記可変表示装置を表示制御するための表示制御コマンドを送信する遊技制御手段と、
該遊技制御手段から送信された表示制御コマンドを受信して前記可変表示装置を可変開始させた後表示結果を導出表示する制御を行なう可変表示制御手段とを含み、
前記遊技制御手段は、
前記可変表示装置の表示結果が前記特定の表示態様となるか否かを決定する表示結果決定手段と、
前記可変表示装置における１回の可変表示に要する変動時間を短縮する時間短縮表示を行なうか否かを決定する短縮決定手段と、
前記可変表示装置における非時間短縮表示用の変動時間を含む第１の変動パターンを複数種類特定可能な情報が記憶された第１の変動パターン記憶手段と、
前記複数種類の第１の変動パターンのうちの少なくとも１種類に対応した時間短縮表示を行なうための、前記可変表示装置における時間短縮表示用の変動時間を含む第２の変動パターンを複数種類特定可能な情報が記憶された第２の変動パターン記憶手段と、
前記変動パターンを前記短縮決定手段の決定に応じて選択する手段であって、前記時間短縮表示を行なわない旨の決定がなされた場合に、前記第１の変動パターン記憶手段に記憶された第１の変動パターンのいずれかを前記可変表示制御手段へ送信する変動パターンコマンドのデータとして選択し、前記時間短縮表示を行なう旨の決定がなされた場合に、前記第２の変動パターン記憶手段に記憶された第２の変動パターンのいずれかを前記可変表示制御手段へ送信する変動パターンコマンドのデータとして選択する変動パターン選択手段とを含み、
前記変動パターン選択手段により選択される前記第１の変動パターンに対応する変動パターンコマンドと前記第２の変動パターンに対応する変動パターンコマンドとは、前記時間短縮表示が行なわれる場合の変動パターンであるか否かを示すデータが異なる一方、前記変動パターンの表示制御内容を示すデータが同じであり、
前記遊技制御手段は、
前記表示制御コマンドとして、前記変動パターン選択手段により選択された変動パターンを示す変動パターンコマンドと、前記表示結果決定手段の決定結果を特定するための表示結果コマンドとを前記可変表示装置を可変開始させるときに前記可変表示制御手段に送信するとともに、
前記変動パターンコマンドにより前記可変表示制御手段に通知した変動時間が経過したときに、前記可変表示装置の表示結果を導出表示する確定時期であることを示す確定時期コマンドを、前記変動パターンコマンドとは別に前記可変表示制御手段に送信し、
前記可変表示制御手段は、
受信した前記変動パターンコマンドにより示された変動パターンに応じて、前記可変表示装置の表示制御を行ない、
前記確定時期コマンドを受信したときに、前記表示結果コマンドに基づいた表示結果を前記可変表示装置に表示させることを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】変更
【補正の内容】
【００２２】
このように、時間短縮表示を行なう場合には、変動パターンコマンドが、第２の変動パターン記憶手段の記憶情報に基づいて選択される。このため、時間短縮表示のための制御を行なう場合に、時間短縮表示が実際に行なわれることを確実に担保することが可能になる。
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】０２２５
【補正方法】変更
【補正の内容】
【０２２５】
（１）  図１等に示されたパチンコ遊技機１により、表示状態が変化可能な可変表示装置（可変表示装置８の可変表示部９）を有し、該可変表示装置の表示結果が予め定められた特定の表示態様になった場合に、遊技者にとって有利な状態（大当り状態）に制御可能な遊技機が構成されている。図４に示された基本回路５３により、前記遊技機の遊技状態を制御する手段であって、前記可変表示装置での可変開始に関連した所定の時期において、前記可変表示装置における表示を制御するための指令情報（表示制御コマンドデータ）として、少なくとも可変表示パターンを特定可能な情報（変動パターンコマンド）および前記表示結果を特定可能な情報（確定図柄指定コマンド）を出力することが可能な遊技制御手段が構成されている。図５に示された表示制御用ＣＰＵ１０１により、遊技制御手段から出力された指令情報を受けて前記可変表示装置を可変開始させた後表示結果を導出表示する制御を行なう手段であって、前記指令情報により特定された可変表示パターンでの表示を行なった後、前記指令情報により特定された表示結果を導出表示する制御を行なう可変表示制御手段が構成されている。前記遊技制御手段は、短縮決定手段、第１の可変表示パターン記憶手段、第２の可変表示パターン記憶手段、および、可変表示パターン選択手段を含む。図１４に示されたＳＢ１〜ＳＢ６により、前記可変表示装置における１回の可変表示に要する可変表示時間（変動時間）を短縮する時間短縮表示（変動時間短縮制御による変動表示）を行なうか否かを決定する短縮決定手段が構成されている。図１０の（ａ）等に示された通常時テーブル（ＲＯＭ５４）により、非時間短縮表示用（通常時）の可変表示パターンとしての第１の可変表示パターン（通常時の変動パターン）を複数種類特定可能な情報が記憶された第１の可変表示パターン記憶手段が構成されている。図１０の（ｂ）等に示された短縮時テーブル（ＲＯＭ５４）により、前記複数種類の第１の可変表示パターンのうちの少なくとも１種類に対応した時間短縮表示を行なうための時間短縮表示用の可変表示パターンとしての第２の可変表示パターン（短縮時の変動パターン）を複数種類特定可能な情報が記憶された第２の可変表示パターン記憶手段が構成されている。図１５に示されたＳＣ１〜ＳＣ８により、前記指令情報として出力する可変表示パターンを前記短縮決定手段の決定に応じて選択する手段であって、前記時間短縮表示を行なわない旨の決定がなされた場合に、前記第１の可変表示パターン記憶手段に記憶された第１の可変表示パターンのいずれかを可変表示パターンの指令情報として選択し、前記時間短縮表示を行なう旨の決定がなされた場合に、前記第２の可変表示パターン記憶手段に記憶された第２の可変表示パターンのいずれかを可変表示パターンの指令情報として選択する可変表示パターン選択手段が構成されている。図１１および図１２等に示されるように、前記第２の可変表示パターン記憶手段に記憶された複数種類の第２の可変表示パターンの平均可変表示時間が、前記第１の可変表示パターン記憶手段に記憶された複数種類の第１の可変表示パターンの平均可変表示時間よりも短く設定されている。
【手続補正３０】
【補正対象書類名】明細書
【補正対象項目名】０２３８
【補正方法】変更
【補正の内容】
【０２３８】
請求項１に関しては、次のような効果を得ることができる。時間短縮表示を行なう場合には、変動パターンコマンドが、第２の変動パターン記憶手段の記憶情報に基づいて選択される。このため、時間短縮表示のための制御を行なう場合に、時間短縮表示が実際に行なわれることを確実に担保することができる。
【手続補正３１】
【補正対象書類名】明細書
【補正対象項目名】０２３９
【補正方法】削除
【補正の内容】
【手続補正３２】
【補正対象書類名】明細書
【補正対象項目名】０２４０
【補正方法】削除
【補正の内容】
【手続補正３３】
【補正対象書類名】明細書
【補正対象項目名】０２４１
【補正方法】削除
【補正の内容】
【手続補正３４】
【補正対象書類名】明細書
【補正対象項目名】０２４２
【補正方法】削除
【補正の内容】
【手続補正３５】
【補正対象書類名】明細書
【補正対象項目名】０２４３
【補正方法】削除
【補正の内容】
【手続補正３６】
【補正対象書類名】明細書
【補正対象項目名】０２４４
【補正方法】削除
【補正の内容】
【手続補正３７】
【補正対象書類名】明細書
【補正対象項目名】０２４５
【補正方法】削除
【補正の内容】
【手続補正３８】
【補正対象書類名】明細書
【補正対象項目名】０２４６
【補正方法】削除
【補正の内容】
【手続補正３９】
【補正対象書類名】明細書
【補正対象項目名】０２４７
【補正方法】削除
【補正の内容】
【手続補正４０】
【補正対象書類名】明細書
【補正対象項目名】０２４８
【補正方法】削除
【補正の内容】